(57)【要約】      （修正有）【課題】安価で、構造が簡単、しかも衛生的な、コバエ等の小型ハエ類を物理的に効率良く捕獲できる捕獲器を提供する。【解決手段】密閉容器蓋部４に最低一個以上の内径１ミリ〜５ミリの穴８を有し、密閉容器蓋４裏側面に粘着式虫取りシートの固定用粘着剤と、密閉容器蓋４裏側面虫取り用粘着剤が塗布された断面が内側に成る様に貼り付け、密閉容器蓋部４に有した穴８より、捕獲対象とするコバエ類が羽を折りたたんで出入り出来る程度の穴（１ミリ〜５ミリ）を、密閉容器蓋４裏面に取り付けた虫取り用粘着シートにも、密閉容器蓋部４に設けられた穴８と同じ位置に設け、捕獲対象コバエ類誘引物６を密閉容器内に入れておく事で、羽を折りたたんで密閉容器内に進入したコバエ類を、捕獲する。【選択図】図５
2015149981.tif 000002
【特許請求の範囲】
【請求項１】
密閉容器蓋部（４）に最低一個以上の内径１ミリ〜５ミリの穴（８）を有し、密閉容器蓋（４）裏側面に粘着式虫取りシート（図１）の固定用粘着剤（１）と、密閉容器蓋（４）裏側面虫取り用粘着剤が塗布された断面（３）が内側に成る様に貼り付け、密閉容器蓋部（４）に有した穴（８）より、捕獲対象とするコバエ類が羽を折りたたんで出入り出来る程度の穴（１ミリ〜５ミリ）を、密閉容器蓋（４）裏面に取り付けた虫取り用粘着シート（図１）にも、密閉容器蓋部（４）に設けられた穴（８）と同じ位置に設け、捕獲対象コバエ類誘引物（６）を密閉容器内に入れておく事で、誘引物（６）に誘われて密閉容器蓋に有した一個以上の穴（８）と、虫取り用粘着シート（図１）に設けた穴（７）より、羽を折りたたんで密閉容器内に進入したコバエ類を、密閉容器蓋（４）裏側面に取り付けた虫取り用粘着シート（図１）の、虫取り用粘着剤が塗布された断面（３）で、捕獲する事を特徴とする粘着式コバエ類捕獲シート及び捕獲器。
【請求項２】
密閉容器蓋部（４）に固定する為の粘着剤（１）、母材となるシート（２）、虫取り用粘着剤（３）の３層構造を特徴とする請求項１に記載の粘着式虫取りシート
【請求項３】
（２）母材となるシートは、紙、ビニール、プラスチック、金属のいずれかの材質で出来ており、粘着式虫取りシート（図１）を交換する時に、容易に蓋裏部から取り外す事が出来る交換用取手（９）、が設けられている事を特徴とする請求事項２に記載の粘着式虫取りシート
【請求項４】
粘着式虫取りシートには（７）、コバエ等のコバエ類が羽根を折りたたんで出入り出来る程度の穴、内径１ミリ〜５ミリが設けてある。又、容易に設ける事が出来る事を、特徴とする請求事項２、請求事項３に記載の粘着式虫取りシート
【請求項５】
粘着式コバエ類捕獲容器本体（５）はビニール・プラスチック・ガラス・陶器・鉄のいずれかの材質で出来ており、蓋部に１個以上の内径１ミリ〜５ミリの穴を有し、コバエ類の進入口とする事を特徴とする請求項１のコバエ類捕獲器
【発明の詳細な説明】
【発明の詳細な説明】
【技術分野】
【０００１】  本発明は、粘着式虫取り器に関し、特に小動物、昆虫飼育やキッチン、植木鉢等に発生する小型のハエ類を捕獲するのに適した、粘着式コバエ類捕獲シート及び捕獲器に関するものである。
【背景技術】
【０００２】  小動物、昆虫飼育やキッチン、植木鉢等には小型のハエ類が発生し易いが、殺虫剤を使用してハエ類を駆除することが望ましく無い場所では、粘着式の虫取り器の使用へ置き換えられる傾向にある。【０００３】  粘着式の虫取り器には、大別して、両面に粘着剤を塗布した帯状のシートからなる、ハエ取り紙と呼ばれるタイプのものと、箱状容器の中へ虫を誘引し、該容器の内周面に塗布した粘着剤により、虫を捕獲するタイプの物がある。【０００４】  前者のハエ取り紙タイプは、粘着面が露出しているので、捕獲したハエなどが外部から見えてしまい、見栄えが悪く、更に粘着面が露出したシートは、天井などから吊下げて使用する事が多く、その為に周囲のものに付着する事や、通行の妨げにもなり、取替頻度も非常に少ない事が多く、捕虫された昆虫から、ダニやカビの発生に繋がる恐れも有り、衛生上等にも問題が多い。【０００５】  後者の箱状容器では、特開文献１の様に、虫取り用粘着剤と虫誘引物とを筒状体の内面の周方向に隣接して帯状に施せば、虫誘引物に誘引されて小型のハエ類が飛翔して筒状体の中に進入してきて、虫誘引物の手前の内面に止まったときに、手前の内面の周方向に帯状に虫取り用粘着剤が施されているので上下左右どこに止まっても、ハエ類を付着させて捕獲することが出来る。さらには、有色不透明の厚紙シートで筒状体を構成することで捕獲したハエ類を外から見えなくできることに関する技術が記載されている。特開文献２では、内周面に虫取り用粘着剤が塗布された箱状容器の虫取り器の場合、効率の良いハエ類の捕獲を達成するためには、筒状体の断面形状は多角形であるより円形である方が有利である。これは、筒状体の断面が多角形である場合、その角部近傍の内側領域には、他の領域に比べて飛翔してくるハエ類の数が少なくなるため、実質的にハエ類を有効に捕獲することができない無用な虫取り用粘着領域および空間が形成されてしまうのに対し、筒状体の断面が円形である場合は、その内側領域全体にわたってハエ類を万遍なく飛翔させることができるため、筒状体の内面を、すべて有効な虫取り用粘着面として利用する事で、コバエ類の捕獲率を上げる為の技術が記載されている。特許文献３では、飛翔昆虫にとっての、誘引色である青色のカバーを設置する事で、コバエ類がカバーの青色をはっきりと認識するため、視覚による誘引性が高まり、捕獲器内に誘導し捕獲器内の底面に設置されている粘着捕獲シートで、捕獲する技術に関する事が記載されている。特開文献４では、粘着シートが設置される本体部と、誘引物を収納するための凹部を備えた底面部と、コバエ類の進入口を有するカバー部とが連接して一体成形されるプラスチック製飛翔昆虫捕獲器であって、前記本体部と前記底面部との連接部及び前記底面部と前記カバー部との連接部を折り込み、かつ前記本体部の先端部と前記カバー部の先端部を接合させることにより、前記本体部の面状部と前記カバー部の進入口を含む面とが対向する略箱状の内部空間を形成し、前記粘着シートを前記本体部の面状部内側に当接させて垂直状に設置するとともに、前記カバー部の進入口をシールテープで封じ、他の包装資材で被包することなく店頭陳列可能に構成したコバエ類捕獲器に関���る技術が記載されている。【０００６】  しかし、現状の箱状容器型捕獲器は、誘引剤・誘引色・粘着面積・粘着シート形状等から、様々な工夫を凝らし、捕獲容器内部に進入したコバエ類の捕獲率を、上げる為の努力をするが、コストが高くなり、逆に捕獲容器内から逃げ出してしまう等の結果に繋っている為、現状の捕獲器で十分とは考えにくく、更なる改良が求められる。
【先行技術文献】
【０００７】
【特許文献１】特開文献２００６−３１１８０２号公報
【特許文献２】特開文献２０１２−５５１８７号公報
【特許文献３】特開２００６−１９１８８３号公報
【特許文献４】特開２００６−１４９２９５号公報
【発明の概要】
【発明が解決しようとする課題】
【０００８】  本発明は、上述された課題を解決するために、構造が簡単で安価、且つ衛生的であり、そして特にコバエなどの小型のハエ類を物理的に効率良く捕獲するのに適した新規且つ有用な虫取り器を提供する事を目的とする。
【課題を解決するための手段】
【０００９】  本発明は、コバエ類が捕獲容器内の誘引物に誘引され、捕獲容器内に進入しようとする時の行動を観察し、検討を重ねた結果、コバエ類は小さな穴を通過する時、穴周辺に一度とまり、歩きながら捕獲容器内に進入する。更に、捕獲容器内に進入したコバエ類は、捕獲容器内から出て行く際にも、同様に捕獲容器蓋裏面にとまり、出口を探して出て行く事を見出した。この習性を生かし、蓋裏面に虫取り用粘着シートを取り付ける事で、捕獲容器外に出ようとするコバエ類を、捕虫出来る仕組みに成っている。また従来の捕獲容器に比べ、粘着部が小さく粘着シート部が容易に取り替え出来る為、従来の捕獲器よりコストを抑える事が出来、又粘着シートの取替をこまめに行う事で、ダニやカビ等の発生する可能性を抑制する事が出来、衛生的で有り、又捕獲容器内に進入したコバエ類が逃げ出す事が無い為、従来のコバエ捕獲容器を設置した場合に比べ、より小さな粘着面積で、多数のコバエ類を効率よく捕獲する事が出来る。【００１０】  本発明の様に、虫取り用粘着剤が塗布された虫取り器の場合、効率良くコバエ類の捕獲を達成しようとする為に、殆どの虫取り器はコバエ類が、飛翔しながら出入り出来る大きな穴を設けた構造に成っている為、虫取り器内に進入しても、粘着剤部に止まらない場合が有り、捕獲する事が出来ず、逃げ出してしまう事が有った。この為、従来の捕獲器は、コバエ類の、逃げる確率を減らす為、無用な虫取り用粘着領域、及び空間が多かった。その為に、コストが掛かるだけでは無く、粘着シートの交換が簡単に出来ない場合が多く、長期間設置したままに成っていた為、粘着領域で捕らえられた昆虫に、ダニやカビ等の発生する可能性が有り、衛生面にも問題が有った。【００１１】  具体的には、本発明の粘着式虫取り器は、蓋付密閉容器の蓋内側に虫取り粘着シートを貼り付け、蓋・及び蓋裏側に張り付けた虫取り粘着シートに、捕獲対象とするコバエ類が捕獲容器内に進入出来る程度の、一個以上の貫通した穴（内径１ミリ〜５ミリ）を設け、捕獲容器内に捕獲対象とするコバエ類用の誘引物を設置し、誘引物に引き寄せられ、密閉容器内に進入したコバエ類を、蓋裏部に取り付けた虫取り粘着シートで捕獲するものである。
【発明の効果】
【００１２】  表１の結果として、捕獲容器内に捕獲されたコバエの捕獲率はどの条件下でも９０％を超える捕獲率に成った。しかし捕獲容器別では、Ｂ捕獲器１個穴が６４％、３・５個穴の捕獲容器に至っては、７０％以上の捕獲率と言う結果に成り、誘引物から発酵臭が発生している物の方が、優位で有る事が分かった。更に同じＢ捕獲容器でも、進入口が１個より３個以上設けて有る方が若干優位で有る結果に成った。以上の事から、本発明によれば、構造が簡単で安価、且つ衛生的であり、そして特にコバエなどの小型のハエ類を物理的に効率良く捕獲するのに適した新規且つ有用な虫取り器を提供する事が出来る。
【図面の簡単な説明】
【００１３】
【図１】  本発明の虫取り用粘着シート断面
【図２】  本発明の虫取り用粘着シート固定用粘着剤面
【図３】  本発明の虫取り用粘着シート虫取り用粘着剤面
【図４】  本発明の設置断面図
【図５】  本発明の設置斜視図
【符号の説明】
【００１４】  １．      固定用粘着剤
２．      母材シート
３．      コバエ類捕獲用粘着剤
４．      コバエ類捕獲容器蓋
５．      コバエ類捕獲容器本体
６．      コバエ類誘引物・誘引物
７、８．  コバエ類進入口（１ミリ〜５ミリの貫通穴）
９．      交換用取手
【実施例】
【００１５】  実施例１として、図４と同じ構造の物を２個作製し、コバエの発生の著しい昆虫飼育下で、１００匹のコバエを捕獲し、高さ１８０×幅１２０×奥行６０のガラス製の温室で室温２４℃〜２６℃で設定し、捕獲容器にコバエ進入口１．５ミリの貫通穴を１個設け、Ａ・Ｂ容器２種類を同時に同じ高さに設置し、１週間で各容器での捕獲数、捕獲率検証実験を開始した。検証実験結果は表１に記す。誘引物として、昆虫飼育に使用している、昆虫ゼリーを使用したが、Ａ容器には、新しい物を使用し、Ｂ容器には昆虫ゼリーから、発酵臭がする物（開封後１週間放置した物）を使用して実験を行った。
【比較例１】
【００１６】  比較例１として、コバエ類進入口穴個数をＡ・Ｂ共に３個設けて作製し、実施例１と同条件下で実験し、捕獲容器内に捕獲されたコバエの数を数えた。実験結果は表１に記す。
【００１７】  比較例２として、コバエ類進入口穴個数をＡ・Ｂ共に５個設けて作製し、実施例１と同条件下で実験し、捕獲容器内に捕獲されたコバエの数を数えた。実験結果は表１に記す。
【表１】
2015149981.tif 000003
【図１】
2015149981.tif 000004
【図２】
2015149981.tif 000005
【図３】
2015149981.tif 000006
【図４】
2015149981.tif 000007
【図５】
2015149981.tif 000008